(57)【要約】【課題】フライアッシュを多く含む場合であっても、強度発現性に優れかつ乾燥収縮の小さいセメント組成物を提供する。【解決手段】ケイ酸率（Ｓ．Ｍ．）が１．８０〜２．４０かつフリーライムの含有率が１．０質量％未満である普通ポルトランドセメントクリンカーの粉砕物、石膏、フライアッシュ及びブレーン比表面積が５，０００ｃｍ２／ｇを超える石灰石粉末を含み、石膏（ＳＯ３換算）と上記粉砕物の合計量１００質量％中の、石膏（ＳＯ３換算）の割合が０．８〜３．０質量％であり、石膏（ＳＯ３換算）、上記粉砕物、フライアッシュ、石灰石粉末の合計量１００質量％中、フライアッシュの割合が７．５〜３０質量％、石灰石粉末の割合が２．５質量％を超え、１０質量％以下であり、フライアッシュの単位質量中の、（Ｎａ2Ｏ＋０．６５８×Ｋ2Ｏ）／（ＭｇＯ＋ＳＯ3＋ＴｉＯ2＋Ｐ2Ｏ5＋ＭｎＯ）で表される質量比が０．２０〜１．００であるセメント組成物。【選択図】なし【特許請求の範囲】
【請求項１】
ケイ酸率（Ｓ．Ｍ．）が１．８０〜２．４０で、かつ、フリーライムの含有率が１．０質量％未満である普通ポルトランドセメントクリンカーの粉砕物と、石膏と、フライアッシュと、ブレーン比表面積が５，０００ｃｍ２／ｇを超える石灰石粉末、を含むセメント組成物であって、
上記石膏の量（ＳＯ３換算）と、上記普通ポルトランドセメントクリンカーの粉砕物の量の合計１００質量％中の、石膏の量（ＳＯ３換算）の割合が、０．８〜３．０質量％であり、
上記石膏の量（ＳＯ３換算）、上記普通ポルトランドセメントクリンカーの粉砕物の量、上記フライアッシュの量、及び上記石灰石粉末の量の合計１００質量％中、フライアッシュの割合が７．５〜３０質量％、石灰石粉末の割合が２．５質量％を超え、１０質量％以下であり、
上記フライアッシュの単位質量中の、Ｎａ2Ｏ、Ｋ2Ｏ、ＭｇＯ、ＳＯ3、ＴｉＯ2、Ｐ2Ｏ5及びＭｎＯの各々の質量が、下記式（１）を満たすものであることを特徴とするセメント組成物。
（Ｎａ2Ｏ＋０．６５８×Ｋ2Ｏ）／（ＭｇＯ＋ＳＯ3＋ＴｉＯ2＋Ｐ2Ｏ5＋ＭｎＯ）＝０．２０〜１．００    ・・・（１）
【請求項２】
上記フライアッシュ中の石英の、リートベルト解析法を用いて得られた格子体積の値が１１３．５〜１１４．５Å３である請求項１に記載のセメント組成物。
【請求項３】
上記普通ポルトランドセメントクリンカーの粉砕物の、ボーグ式を用いて算出した３ＣａＯ・ＳｉＯ2と２ＣａＯ・ＳｉＯ2の質量比（３ＣａＯ・ＳｉＯ2／２ＣａＯ・ＳｉＯ2）が５．０未満である請求項１又は２に記載のセメント組成物。
【請求項４】
上記普通ポルトランドセメントクリンカーの粉砕物の、ボーグ式を用いて算出した３ＣａＯ・Ａｌ2Ｏ3の含有率が１０．５〜１３．５質量％である請求項１〜３のいずれか１項に記載のセメント組成物。
【発明の詳細な説明】
【技術分野】
【０００１】
本発明は、セメント組成物に関する。
【背景技術】
【０００２】
セメントの一部をフライアッシュで置換してなるフライアッシュ混合セメントは、水酸化カルシウムとフライアッシュのポゾラン反応により、安定なケイ酸カルシウム水和物等の化合物を生成して緻密な組織を形成する。そのため、フライアッシュ混合セメントは、水密性、化学抵抗性、及び、長期強度発現性に優れている。
また、ポゾラン反応による発熱量は、ポルトランドセメントの水和による発熱量に比べて少ないため、フライアッシュ混合セメントの水和熱は、ポルトランドセメントの水和熱よりも少なくなる。また、フライアッシュは、それ自体、球状の微粒子であるから、ボールベアリング作用により、コンクリート等の流動性を向上させるため、コンクリート等の製造における単位水量を少なくすることができ、フライアッシュ混合セメントを用いた硬化体の乾燥収縮を小さくすることができる。
さらに、セメント製造における環境負荷の観点からも、フライアッシュ混合セメントは、セメント製造時のＣＯ２排出量や、原料である石灰石や化石燃料などの天然資源の使用量を少なくすることができ、また、副産物であるフライアッシュを有効活用できるなど、多くの環境負荷低減効果を有している。
【０００３】
フライアッシュ混合セメントはこのように多くの長所を有するが、一般社団法人セメント協会のホームページによると、２０１４年度のフライアッシュセメントの生産高は７４千ｔ／年である。該生産高は、セメントの総生産高（５６，７００千ｔ／年）の０．１３％に過ぎない。このようにフライアッシュ混合セメントが普及しない理由として、例えば、初期の強度発現性が低いため、所定の強度を得るまでに長期の養生を要する点等が挙げられる。
【０００４】
かかるフライアッシュ混合セメントの強度発現性に関連して、燃料となる石炭の性状や、火力発電所の運転状態により品質が変動するフライアッシュの中から、好ましい品質を有するフライアッシュを評価して選別する等の提案がある。
例えば、特許文献１では、石炭灰を大量に含む、強度発現性の良好なモルタルやコンクリート組成物のセメント／石炭灰比（質量比）は、石炭灰の２０％のスラリー液のｐＨが１１．０以上の場合は、０．５以上、該液のｐＨが９．０以上１１．０未満の場合は、０．７以上、該液のｐＨが６．０以上９．０未満の場合は、１．０以上としている。
また、特許文献２では、安定的に良好な強度発現性を有するセメントの製造に適したフライアッシュは、リートベルト解析法で求められる格子定数が０．４９３５ｎｍ以下であるα−石英を含み、ＢＥＴ比表面積が５．０ｍ２／ｇ以下であるものとしている。
【先行技術文献】
【特許文献】
【０００５】
【特許文献１】特開平９−１５６９７１号公報
【特許文献２】特開２０１１−２０８６７号公報
【発明の概要】
【発明が解決しようとする課題】
【０００６】
特許文献１〜２に記載された発明は、石炭灰の性質によってセメント／石炭灰比を変更する方法や、特殊な評価方法を用いてフライアッシュの選別する方法であり、フライアッシュ混合セメントの強度発現性を直接的に向上させるものではない。
また、強度発現性に優れたセメント組成物を用いたモルタル等の硬化体であっても、乾燥収縮によるひび割れの発生によって、該硬化体からなる構造物の強度や耐久性が著しく低下する場合がある。このことから、セメント組成物はモルタル等として使用した際に乾燥収縮の小さいものが好ましい。
本発明の目的は、フライアッシュを多く含む（例えば、７．５〜３０質量％）場合であっても、強度発現性に優れ、かつ、モルタル等として使用した際に乾燥収縮の小さいセメント組成物を提供することである。
【課題を解決するための手段】
【０００７】
本発明者は、上記課題を解決するために鋭意検討した結果、ケイ酸率（Ｓ．Ｍ．）が１．８０〜２．４０、フリーライムの含有率が１．０質量％未満である普通ポルトランドセメントクリンカーの粉砕物と、石膏と、フライアッシュと、ブレーン比表面積が５，０００ｃｍ２／ｇを超える石灰石粉末を含み、石膏（ＳＯ３換算）と普通ポルトランドセメントクリンカーの粉砕物の合計量１００質量％中の、石膏（ＳＯ３換算）の割合が特定の数値範囲内であり、石膏（ＳＯ３換算）、普通ポルトランドセメントクリンカーの粉砕物、フライアッシュ、及び石灰石粉末の合計量１００質量％中、フライアッシュ及び石灰石粉末の各割合が特定の数値範囲内であり、かつ、フライアッシュの単位質量中のＮａ2Ｏ、Ｋ2Ｏ、ＭｇＯ、ＳＯ3、ＴｉＯ2、Ｐ2Ｏ5及びＭｎＯの各々の質量が特定の式を満たすものであるセメント組成物によれば、上記目的を達成できることを見出し、本発明を完成した。
すなわち、本発明は、以下の［１］〜［４］を提供するものである。
【０００８】
［１］  ケイ酸率（Ｓ．Ｍ．）が１．８０〜２．４０で、かつ、フリーライムの含有率が１．０質量％未満である普通ポルトランドセメントクリンカーの粉砕物と、石膏と、フライアッシュと、ブレーン比表面積が５，０００ｃｍ２／ｇを超える石灰石粉末、を含むセメント組成物であって、上記石膏の量（ＳＯ３換算）と、上記普通ポルトランドセメントクリンカーの粉砕物の量の合計１００質量％中の、石膏の量（ＳＯ３換算）の割合が、０．８〜３．０質量％であり、上記石膏の量（ＳＯ３換算）、上記普通ポルトランドセメントクリンカーの粉砕物の量、上記フライアッシュの量、及び上記石灰石粉末の量の合計１００質量％中、フライアッシュの割合が７．５〜３０質量％、石灰石粉末の割合が２．５質量％を超え、１０質量％以下であり、上記フライアッシュの単位質量中の、Ｎａ2Ｏ、Ｋ2Ｏ、ＭｇＯ、ＳＯ3、ＴｉＯ2、Ｐ2Ｏ5及びＭｎＯの各々の質量が、下記式（１）を満たすものであることを特徴とするセメント組成物。
（Ｎａ2Ｏ＋０．６５８×Ｋ2Ｏ）／（ＭｇＯ＋ＳＯ3＋ＴｉＯ2＋Ｐ2Ｏ5＋ＭｎＯ）＝０．２０〜１．００    ・・・（１）
［２］  上記フライアッシュ中の石英の、リートベルト解析法を用いて得られた格子体積の値が１１３．５〜１１４．５Å３である前記［１］に記載のセメント組成物。
［３］  上記普通ポルトランドセメントクリンカーの粉砕物の、ボーグ式を用いて算出した３ＣａＯ・ＳｉＯ2と２ＣａＯ・ＳｉＯ2の質量比（３ＣａＯ・ＳｉＯ2／２ＣａＯ・ＳｉＯ2）が５．０未満である前記［１］又は［２］に記載のセメント組成物。
［４］  上記普通ポルトランドセメントクリンカーの粉砕物の、ボーグ式を用いて算出した３ＣａＯ・Ａｌ2Ｏ3の含有率が１０．５〜１３．５質量％である前記［１］〜［３］のいずれかに記載のセメント組成物。
【発明の効果】
【０００９】
本発明のセメント組成物は、強度（例えば、モルタル圧縮強さ）発現性に優れ、かつ、モルタル等として使用した際に乾燥収縮の小さいものである。
【発明を実施するための形態】
【００１０】
本発明のセメント組成物は、ケイ酸率（Ｓ．Ｍ．）が１．８０〜２．４０で、かつ、フリーライムの含有率が１．０質量％未満である普通ポルトランドセメントクリンカーの粉砕物と、石膏と、フライアッシュと、ブレーン比表面積が５，０００ｃｍ２／ｇを超える石灰石粉末、を含むセメント組成物であって、石膏の量（ＳＯ３換算）と、上記普通ポルトランドセメントクリンカーの粉砕物の量の合計１００質量％中の、石膏の量（ＳＯ３換算）の割合が、０．８〜３．０質量％であり、石膏の量（ＳＯ３換算）、上記普通ポルトランドセメントクリンカーの粉砕物の量、フライアッシュの量、及び石灰石粉末の量の合計１００質量％中、フライアッシュの割合が７．５〜３０質量％、石灰石粉末の割合が２．５質量％を超え、１０質量％以下であり、フライアッシュの単位質量中の、Ｎａ2Ｏ、Ｋ2Ｏ、ＭｇＯ、ＳＯ3、ＴｉＯ2、Ｐ2Ｏ5及びＭｎＯの各々の質量が、下記式（１）を満たすものである。
（Ｎａ2Ｏ＋０．６５８×Ｋ2Ｏ）／（ＭｇＯ＋ＳＯ3＋ＴｉＯ2＋Ｐ2Ｏ5＋ＭｎＯ）＝０．２〜１．０    ・・・（１）
以下、詳細に説明する。
【００１１】
１．セメント組成物の構成材料
（１）普通ポルトランドセメントクリンカーの粉砕物
本発明で使用する普通ポルトランドセメントクリンカーの粉砕物（以下、単に「セメントクリンカー」ともいう。）のケイ酸率（Ｓ．Ｍ．）は、１．８０〜２．４０、好ましくは１．８５〜２．３７、より好ましくは１．９０〜２．３５である。ケイ酸率が１．８０未満であると、セメントクリンカー中の３ＣａＯ・Ａｌ２Ｏ３（アルミネート相；以下、「Ｃ３Ａ」ともいう。）および４ＣａＯ・Ａｌ２Ｏ３・Ｆｅ２Ｏ３（フェライト相；以下、「Ｃ４ＡＦ」ともいう。）の含有量が多くなり、セメント組成物の流動性や、長期材齢における強度（例えば、材齢２８日以上におけるモルタル圧縮強さ）発現性が低下し、該セメント組成物を用いた硬化体（ペースト、モルタル又はコンクリート）の乾燥収縮が大きくなる。ケイ酸率が２．４０を超えると、セメント組成物の強度発現性が低下する。
【００１２】
セメントクリンカーの水硬率（Ｈ．Ｍ．）は、セメントクリンカーの製造の容易性や、セメント組成物の流動性及び強度発現性の観点から、好ましくは２．００〜２．２０、より好ましくは２．０５〜２．１９、特に好ましくは２．１０〜２．１８である。
セメントクリンカーの鉄率（Ｉ．Ｍ．）は、セメントクリンカーの製造の容易性や、セメント組成物の流動性及び強度発現性の観点から、好ましくは１．６０〜２．４０、より好ましくは１．６５〜２．３７、特に好ましくは１．７５  〜２．３５である。
【００１３】
セメントクリンカーのフリーライムの含有率は、１．０質量％未満、好ましくは０．１〜０．８質量％、より好ましくは０．２〜０．７質量％である。該含有率が１．０質量％以上であると、セメント組成物の強度発現性が低下する。
【００１４】
セメントクリンカーの、ボーグ式を用いて算出した３ＣａＯ・Ａｌ2Ｏ3の含有率は、好ましくは１０．５〜１３．５質量％、より好ましくは１０．８〜１３．２質量％、特に好ましくは１１．０〜１３．１質量％である。該含有率が１０．５質量％以上であれば、セメント組成物の強度発現性がより向上する。該含有率が１３．５質量％以下であれば、セメント組成物の流動性がより向上し、該セメント組成物を用いた硬化体の乾燥収縮がより小さくなる。
また、セメントクリンカーの、ボーグ式を用いて算出した３ＣａＯ・ＳｉＯ2（エーライト；以下、「Ｃ３Ｓ」）ともいう。）と２ＣａＯ・ＳｉＯ2（ビーライト；以下、「Ｃ２Ｓ」ともいう。）の質量比（３ＣａＯ・ＳｉＯ2／２ＣａＯ・ＳｉＯ2）は、好ましくは５．０未満、より好ましくは３．０〜４．９５、特に好ましくは３．３〜４．９である。該比が５．０未満であれば、セメントクリンカーの製造の容易性がより向上し、セメント組成物の強度発現性がより向上する。
【００１５】
なお、本明細書中、セメントクリンカー中のＣ3Ｓ、Ｃ2Ｓ、Ｃ3Ａ、Ｃ4ＡＦの各含有率は、セメントクリンカー全量（１００質量％）中の割合として、セメントクリンカー原料やセメントクリンカー（焼成物）の化学成分に基づき、下記のボーグの計算式を用いて算出される。
Ｃ3Ｓ（質量％）＝（４．０７×ＣａＯ（質量％））−（７．６０×ＳｉＯ2（質量％））−（６．７２×Ａｌ2Ｏ3（質量％））−（１．４３×Ｆｅ2Ｏ3（質量％））
Ｃ2Ｓ（質量％）＝（２．８７×ＳｉＯ2（質量％））−（０．７５４×Ｃ3Ｓ（質量％））
Ｃ3Ａ（質量％）＝（２．６５×Ａｌ2Ｏ3（質量％））−（１．６９×Ｆｅ2Ｏ3（質量％））
Ｃ4ＡＦ（質量％）＝３．０４×Ｆｅ2Ｏ3（質量％）
【００１６】
セメントクリンカーの原料としては、石灰石、生石灰、消石灰等のＣａＯ原料、珪石、粘土等のＳｉＯ２原料、粘土等のＡｌ2Ｏ3原料、鉄滓、鉄ケーキ等のＦｅ2Ｏ3原料、等を使用することができる。
なお、本発明においては、セメントクリンカーの原料として、前記原料に加えて、産業廃棄物、一般廃棄物及び発生土から選ばれる一種以上を使用することができる。セメントクリンカーの原料として、産業廃棄物、一般廃棄物及び発生土から選ばれる一種以上を使用することは、廃棄物の有効利用を促進させる観点から好ましい。
ここで、産業廃棄物とは、事業活動に伴って生じた廃棄物（ただし、後述する「発生土」を除く。）をいう。産業廃棄物としては、例えば、生コンスラッジ、各種汚泥（例えば、下水汚泥、浄水汚泥、製鉄汚泥等）、建設廃材、コンクリート廃材、各種焼却灰、鋳物砂、ロックウール、廃ガラス、高炉２次灰等が挙げられる。
一般廃棄物とは、産業廃棄物以外の廃棄物（ただし、後述する「発生土」を除く。）をいう。一般廃棄物としては、例えば、下水汚泥乾粉、都市ごみ焼却灰、貝殻等が挙げられる。
発生土とは、建設工事に伴い副次的に発生する土砂（例えば、地盤の掘削により生じるボーリング廃土）や汚泥（建設汚泥；例えば、地盤改良工事で生じる、セメントミルクと掘削土の混合物）をいう。
【００１７】
本発明で使用する普通ポルトランドセメントクリンカーは、上述した原料を、所望の水硬率、ケイ酸率、鉄率となるように混合した後、好ましくは１，３５０〜１，５５０℃（より好ましくは１，４００〜１，５００℃）で焼成することで製造される。
各原料を混合する方法は、特に限定されるものではなく、慣用の混合装置等を用いて行えばよい。
また、焼成に使用する装置も、特に限定されるものではなく、例えば、ロータリーキルン等を用いればよい。なお、ロータリーキルンを用いて焼成する場合、燃料代替廃棄物（例えば、廃油、廃タイヤ、廃プラスチック等）を使用することができる。
【００１８】
焼成によって得られた普通ポルトランドセメントクリンカー（塊状物）を、ボールミル等の慣用の粉砕装置を用いて粉砕することで、普通ポルトランドセメントクリンカーの粉砕物を得ることができる。該粉砕物のブレーン比表面積は、セメント組成物の流動性及び強度発現性の観点、さらには粉砕のコスト低減の観点から、好ましくは３，０００〜３，４００ｃｍ２／ｇ、より好ましくは３，０５０〜３，３５０ｃｍ２／ｇである。
【００１９】
（２）石膏
本発明で使用する石膏としては、例えば、二水石膏、半水石膏、および無水石膏等が挙げられる。これらは１種を単独で用いてもよく、２種以上を組み合わせて用いてもよい。
中でも、セメント組成物の流動性および強度発現性の観点から、二水石膏と半水石膏の混合物を用いることが好ましい。二水石膏と半水石膏の合計１００質量％中の半水石膏の割合は、セメント組成物の流動性および強度発現性の観点から、ＳＯ３換算で、好ましくは１０〜９５質量％、より好ましくは２０〜９０質量％、さらに好ましくは３０〜８５質量％、特に好ましくは４０〜８０質量％である。
また、石膏のブレーン比表面積は、セメント組成物の流動性及び強度発現性の観点から、好ましくは５，０００〜１５，０００ｃｍ２／ｇ、より好ましくは６，０００〜１，４０００ｃｍ２／ｇである。
【００２０】
（３）フライアッシュ
本発明で使用するフライアッシュは、フライアッシュの単位質量中の、Ｎａ2Ｏ、Ｋ2Ｏ、ＭｇＯ、ＳＯ3、ＴｉＯ2、Ｐ2Ｏ5及びＭｎＯの各々の質量が、下記式（１）を満たすものである。
（Ｎａ2Ｏ＋０．６５８×Ｋ2Ｏ）／（ＭｇＯ＋ＳＯ3＋ＴｉＯ2＋Ｐ2Ｏ5＋ＭｎＯ）＝０．２０〜１．００    ・・・（１）
上記式（１）から導き出される質量比は０．２０〜１．００、好ましくは０．２５〜０．８０、より好ましくは０．２８〜０．７０、特に好ましくは０．３０〜０．６０である。該質量比が０．２０未満であると、セメント組成物の強度発現性が低下する。該質量比が１．００を超えると、セメント組成物を用いた硬化体の乾燥収縮が大きくなる。
【００２１】
フライアッシュ中の石英の、リートベルト解析法を用いて得られた格子体積の値は、セメント組成物の強度発現性の観点から、好ましくは１１３．５〜１１４．５Å３、より好ましくは１１３．６〜１１４．４Å３、特に好ましくは１１３．７〜１１４．３Å３である。また、該値が上記範囲内であれば、該セメント組成物を用いた硬化体の乾燥収縮をより小さくすることができる。
なお、通常、フライアッシュは、石英を５〜２５質量％含むものである。
フライアッシュ中の石英の、リートベルト解析法を用いて得られた格子体積の値は、該フライアッシュのＸ線回析図に基づき、例えば、Ｂｒｕｋｅｒ社製の解析ソフト（商品名：「ＴＯＰＡＳ  ｖｅｒ２．１」）、及び、ＩＣＤＤ（Ｉｎｔｅｒｎａｔｉｏｎａｌ  Ｃｅｎｔｒｅ  ｆｏｒ  Ｄｉｆｆｒａｃｔｉｏｎ  Ｄａｔａ）のＰＤＦデータベースから得られる結晶構造データ（データベースの検索に用いられるＩＣＤＤ  ｎｕｎｍｂｅｒ：３３１１６１（Ｑｕａｒｔｚ））を用いて得ることができる。
【００２２】
さらに、フライアッシュの締め固め密度は、好ましくは１．０ｃｍ３／ｇ以上、より好ましくは１．０５〜１．５ｃｍ３／ｇ、より好ましくは１．１〜１．４５ｃｍ３／ｇ、特に好ましくは１．２〜１．４ｃｍ３／ｇである。該密度が１．０ｃｍ３／ｇ以上であれば、セメント組成物の流動性をより向上させ、該セメント組成物を用いた硬化体の乾燥収縮をより小さくすることができる。
なお、上記締め固め密度は、ホソカワミクロン社製の粉体特性評価装置（商品名：パウダテスタ  ＰＴ−Ｄ）を用いて、フライアッシュを１００ｃｍ３のカップ内に充填しながら、該カップを１８０秒間で１８０回タッピングした後、該カップ内で締め固まったフライアッシュの質量を測定し、該測定値を用いて算出した値である。
【００２３】
フライアッシュのブレーン比表面積は、セメント組成物の流動性及び強度発現性の観点から、好ましくは２，５００〜６，０００ｃｍ３／ｇ、より好ましくは２，７００〜５，０００ｃｍ３／ｇ、特に好ましくは２，９００〜４，０００ｃｍ３／ｇである。
また、フライアッシュを、９７５±２５℃で１５分間加熱した場合における、フライアッシュの質量減少率は、セメント組成物の流動性、及び強度発現性の観点から、好ましくは５．０質量％以下、より好ましくは１．０〜４．５質量％、特に好ましくは１．５〜４．０質量％である。
【００２４】
（４）石灰石粉末
本発明で使用する石灰石粉末のブレーン比表面積は、５，０００ｃｍ３／ｇを超えるものであり、好ましくは５，３００〜１５，０００ｃｍ３／ｇ、より好ましくは５，５００〜１４，０００ｃｍ３／ｇ、さらに好ましくは６，０００〜１３，０００ｃｍ３／ｇ、さらに好ましくは６，３００〜１２，０００ｃｍ３／ｇ、特に好ましくは６，５００〜１１，０００ｃｍ３／ｇである。ブレーン比表面積が５，０００ｃｍ３／ｇ以下であると、セメント組成物の強度発現性が低下する。
【００２５】
２．セメント組成物の組成（構成材料の割合）及び製造方法
（１）各材料の割合
本発明のセメント組成物において、ＳＯ３換算による石膏の量と、普通ポルトランドセメントクリンカーの粉砕物の量の合計１００質量％中の、ＳＯ３換算による石膏の量の割合は、０．８〜３．０質量％、好ましくは０．９〜２．０質量％、より好ましくは１．０〜１．５質量％である。該割合が０．８質量％未満であると、セメント組成物の流動性が低下する。該割合が３．０質量％を超えると、セメント組成物の強度発現性が低下する。
また、ＳＯ３換算による石膏の量と、普通ポルトランドセメントクリンカーの粉砕物の量の合計１００質量％中の、全ＳＯ３の量の割合は、セメント組成物の流動性及び強度発現性の観点から、好ましくは１．５〜３．０質量％、より好ましくは１．７〜２．６質量％、特に好ましくは１．８〜２．４質量％である。
【００２６】
本発明のセメント組成物において、ＳＯ３換算による石膏の量と、普通ポルトランドセメントクリンカーの粉砕物の量、フライアッシュの量、及び石灰石粉末の量の合計１００質量％中、フライアッシュの量の割合は、７．５〜３０質量％、好ましくは１３〜２７質量％、より好ましくは１４〜２５質量％である。該割合が７．５質量％未満であると、セメント組成物の流動性が低下し、セメント組成物を用いた硬化体の乾燥収縮が大きくなる。また、フライアッシュの有効活用を促進する観点から好ましくない。該割合が３０質量％を超えると、セメント組成物の強度発現性が低下する。
【００２７】
本発明のセメント組成物において、ＳＯ３換算による石膏の量と、普通ポルトランドセメントクリンカーの粉砕物の量、フライアッシュの量、及び石灰石粉末の量の合計１００質量％中、石灰石粉末の量の割合は、２．５質量％を超え、１０質量％以下、好ましくは３〜８質量％、より好ましくは４〜６質量％である。該割合が上記数値範囲外であると、セメント組成物の強度発現性が低下する。
【００２８】
本発明のセメント組成物は、上述したセメントクリンカーの粉砕物、石膏、フライアッシュ及び石灰石粉末の他に、必要に応じて、高炉スラグ粉末と珪石粉末の少なくとも１種を、セメントクリンカー１００質量部に対して、５．５質量部以下の量で含んでいてもよい。
【００２９】
（２）セメント組成物の製造方法
本発明のセメント組成物の製造方法としては、例えば、以下の（ａ）〜（ｂ）の方法が挙げられる。
（ａ）普通ポルトランドセメントクリンカーと石膏を同時に粉砕し、次いで、フライアッシュと石灰石粉末（ブレーン比表面積が５，０００ｃｍ２／ｇを超えるもの）を添加して混合する方法
該方法において、普通ポルトランドセメントクリンカーと石膏の粉砕は、粉砕物のブレーン比表面積が、好ましくは３，０００〜３，４００ｃｍ２／ｇ、より好ましくは３，１００〜３，３５０ｃｍ２／ｇとなるまで行うことが好ましい。
（ｂ）普通ポルトランドセメントクリンカーと石膏と石灰石を同時に粉砕し、次いで、フライアッシュを添加して混合する方法
該方法において、普通ポルトランドセメントクリンカーと石膏と石灰石の粉砕は、粉砕物のブレーン比表面積が、好ましくは３，０００〜３，４００ｃｍ２／ｇ、より好ましくは３，１００〜３，３５０ｃｍ２／ｇとなるまで行うことが好ましい。なお、該粉砕によって、粉砕物に含まれる石灰石粉末のブレーン比表面積は、５，０００ｃｍ２／ｇを超えるものとなる。
【００３０】
本発明のセメント組成物は、水、及び、必要に応じて配合される他の材料（例えば、細骨材、粗骨材、減水剤等）と混合されることによって、ペースト、モルタル、又はコンクリートとして使用される。
減水剤としては、リグニン系、ナフタレンスルホン酸系、メラミン系、又はポリカルボン酸系等の、減水剤、ＡＥ減水剤、高性能減水剤、又は高性能ＡＥ減水剤を使用することができる。
本発明のセメント組成物をモルタル又はコンクリートとして使用する場合には、骨材として、モルタルやコンクリートの製造に使用される通常の細骨材（例えば、川砂、陸砂、砕砂等）や粗骨材（例えば、川砂利、山砂利、砕石等）を使用することができる。また、骨材の一部または全部として、溶融スラグ（例えば、都市ゴミ、都市ゴミ焼却灰、及び下水汚泥焼却灰から選ばれる一種以上を溶融して製造されたもの）、高炉スラグ、製鋼スラグ、銅スラグ、碍子屑、ガラスカレット、陶磁器廃材、クリンカーアッシュ、廃レンガ、コンクリート廃材等の廃棄物を使用することもできる。
なお、必要に応じて、本発明の目的に支障のない範囲内で、空気連行剤、消泡剤等の混和剤を使用してもよい。
【実施例】
【００３１】
以下、本発明を実施例により具体的に説明するが、本発明はこれらの実施例に限定されるものではない。
［普通ポルトランドセメントクリンカーＡ〜Ｇの製造]
下水汚泥、石炭灰、発生土等と、石灰石等の一般的なポルトランドセメントクリンカーの原料を用いて、得られる普通ポルトランドセメントクリンカー（Ａ〜Ｇ）の水硬率（Ｈ．Ｍ．）、ケイ酸率（Ｓ．Ｍ．）、及び鉄率（Ｉ．Ｍ．）が、表１に示す値となるように、セメント組成物の原料を調製した。調製した原料を、小型ロータリーキルンを用いて、１，４５０℃で焼成して、塊状物である普通ポルトランドセメントクリンカーＡ〜Ｇを得た。
【００３２】
【表１】
2018087111.tif 000002
【００３３】
普通ポルトランドセメントクリンカーＡ〜Ｇの製造で使用した材料以外の使用材料を以下に示す。
（１）排脱二水石膏：住友金属社製の排脱二水石膏を最大粒径が１．２ｍｍ以下となるように解砕したもの
（２）半水石膏：上記排脱二水石膏を１４０℃で加熱したもの
（３）石灰石粉末Ａ：ブレーン比表面積８，５００ｃｍ２／ｇ
（４）石灰石粉末Ｂ：ブレーン比表面積４，２００ｃｍ２／ｇ
（５）細骨材：「ＪＩＳ  Ｒ  ５２０１（セメントの物理試験方法）」に定める標準砂
（６）減水剤：ポリカルボン酸系高性能ＡＥ減水剤、ＢＡＳＦジャパン製、商品名「マスターグレニウムＳＰ８Ｎ」
（７）消泡剤：非イオン界面活性剤、日華化学社製、商品名「フォームレックス７４７」
（８）フライアッシュＡ〜Ｅ：表２に示すもの
（９）水：水道水
【００３４】
【表２】
2018087111.tif 000003
【００３５】
［実施例１〜８、比較例１〜１２］
排脱二水石膏と半水石膏を、排脱二水石膏と半水石膏の合計１００質量％中の半水石膏の割合が５０質量％（ＳＯ３換算によるもの）となるように混合してなる石膏（以下、「混合石膏」ともいう。）を製造した。
表３に示す種類の普通ポルトランドセメントクリンカー（表３中、「クリンカー」と示す。）に、ＳＯ３換算による混合石膏と、普通ポルトランドセメントクリンカーの合計１００質量％中、ＳＯ３換算による混合石膏の割合が、１．１〜１．３質量％となり、かつ、全ＳＯ３の割合が２．０質量％となる量の混合石膏を添加した後、バッチ式ボールミキサを用いて粉砕して、ブレーン比表面積が３，２００±１００ｃｍ２／ｇである普通ポルトランドセメントを製造した。
得られた普通ポルトランドセメントに、ＳＯ３換算による混合石膏と、普通ポルトランドセメントクリンカーの粉砕物、フライアッシュ、及び石灰石粉末の合計１００質量％中、表３に示す種類の材料（フライアッシュ、石灰石粉末）の各割合が、表３に示す値となる量の各材料を添加した後、混合して、セメント組成物１〜２０を得た。なお、セメント組成物２０は、市販されている普通ポルトランドセメントに相当するものである。
【００３６】
【表３】
2018087111.tif 000004
【００３７】
得られたセメント組成物１〜２０について、以下の評価を行った。結果を表４に示す。
（１）モルタルフローの測定
水とセメント組成物の質量比（水／セメント組成物）が０．３、細骨材とセメント組成物の質量比（細骨材／セメント組成物）が１．４、消泡剤とセメント組成物の質量比（消泡剤／セメント組成物）が０．００１、減水剤とセメント組成物の質量比（減水剤／セメント組成物）が０．００６５となる量で、セメント組成物等のこれら材料を混合して、モルタルを調製した。これら材料の混練は、ホバートミキサーを用いて、「ＪＩＳ  Ｒ  ５２０１（セメントの物理試験方法）」に準拠（ただし、混練時間は、ここに記載されている時間よりも２分間長いものとした。）して行った。なお、混練に際して、減水剤と消泡剤は水と同時にミキサーに投入した。
得られたモルタルについて、「ＪＩＳ  Ａ  １１７１（ポリマーセメントモルタルの試験方法）」に記載されたスランプコーンを用いて、「ＪＩＳ  Ｒ  ５２０１（セメントの物理試験方法）」のフロー試験に準拠して、混練直後のモルタルフロー値を、１５回の落下運動を行わないで測定した。
（２）モルタル圧縮強さの測定
「ＪＩＳ  Ｒ  ５２０１（セメントの物理試験方法）」に準拠して、材齢３日、７日、２８日における、モルタル圧縮強さを測定した。
（３）乾燥収縮の測定
「ＪＩＳ  Ｒ  ５２０１（セメントの物理試験方法）」に準拠して、モルタルを調製し、「ＪＩＳ  Ａ  １１２９−３（モルタル及びコンクリートの長さ変化測定方法−第３部：ダイヤルゲージ法）」に準拠して、材齢１８２日におけるモルタルの乾燥収縮の値を測定した。
なお、乾燥収縮の値の絶対値が小さいほど、乾燥収縮の程度が小さいことを意味する。
結果を表４に示す。
【００３８】
【表４】
2018087111.tif 000005
【００３９】
表４から、本発明のセメント組成物（実施例１〜８）を用いたモルタルは、モルタルフローおよびモルタル圧縮強さが大きく、かつ、乾燥収縮の値の絶対値が小さいものである。以下、詳しく説明する。
具体的には、フライアッシュの種類が異なる以外は、実施例１〜３と同じセメント組成物である比較例１（フライアッシュ中の上記式（１）から導き出される質量比が０．１４であるもの）、比較例２（フライアッシュ中の上記式（１）から導き出される質量比が１．３９であるもの）と、実施例１〜３を比較すると、以下のことがわかる。
比較例１のモルタル圧縮強さ（材齢３日：２７．１Ｎ／ｍｍ２、材齢７日：４１．８Ｎ／ｍｍ２、材齢２８日：６０．０Ｎ／ｍｍ２）は、実施例１〜３のモルタル圧縮強さ（材齢３日：２８．１〜２８．９Ｎ／ｍｍ２、材齢７日：４３．６〜４４．６Ｎ／ｍｍ２、材齢２８日：６２．７〜６３．７Ｎ／ｍｍ２）よりも小さい。
比較例２の乾燥収縮の値の絶対値（８５０μｍ）は、実施例１〜３の乾燥収縮の値の絶対値（７２６〜７６３μｍ）よりも大きい。
【００４０】
また、普通ポルトランドセメントクリンカーの種類が異なる以外は、実施例１、４〜６と同じセメント組成物である比較例３（普通ポルトランドセメントクリンカーのケイ酸率が２．４７であるもの）、比較例４（普通ポルトランドセメントクリンカーのケイ酸率が１．６１であるもの）、比較例５（普通ポルトランドセメントクリンカーのフリーライムの含有率が１．６５質量％であるもの）と、実施例１、４〜６を比較すると、以下のことがわかる。
比較例３のモルタル圧縮強さ（材齢３日：２６．２Ｎ／ｍｍ２、材齢７日：４２．０Ｎ／ｍｍ２、材齢２８日：５９．５Ｎ／ｍｍ２）は、実施例１、４〜６のモルタル圧縮強さ（材齢３日：２７．９〜２８．９Ｎ／ｍｍ２、材齢７日：４３．８〜４４．６Ｎ／ｍｍ２、材齢２８日：６２．２〜６３．５Ｎ／ｍｍ２）よりも小さい。
比較例４のモルタルフロー（２３６ｍｍ）及び材齢２８日におけるモルタル圧縮強さ（６０．０Ｎ／ｍｍ２）は、実施例１、４〜６のモルタルフロー（２５８〜２７８ｍｍ）及び材齢２８日におけるモルタル圧縮強さ（６２．２〜６３．５Ｎ／ｍｍ２）よりも小さい。また、比較例４の乾燥収縮の値の絶対値（８７９μｍ）は、実施例１、４〜６の乾燥収縮の値の絶対値（７２６〜７６５μｍ）よりも大きい。
比較例５のモルタル圧縮強さ（材齢３日：２６．６Ｎ／ｍｍ２、材齢７日：４２．１Ｎ／ｍｍ２、材齢２８日：６０．３Ｎ／ｍｍ２）は、実施例１、４〜６のモルタル圧縮強さ（材齢３日：２７．９〜２８．９Ｎ／ｍｍ２、材齢７日：４３．８〜４４．６Ｎ／ｍｍ２、材齢２８日：６２．２〜６３．５Ｎ／ｍｍ２）よりも小さい。
【００４１】
また、フライアッシュの割合が異なる以外は、実施例１（フライアッシュ：２２質量％）、実施例７（フライアッシュ：１５質量％）と同じセメント組成物である比較例６（フライアッシュ：５質量％）、比較例７（フライアッシュ：３５質量％）と、実施例１、７を比較すると、以下のことがわかる。
比較例６のモルタルフロー（２５６ｍｍ）は、実施例１、７のモルタルフロー（２６２〜２７８ｍｍ）よりも小さく、比較例６の乾燥収縮の値の絶対値（８４２μｍ）は、実施例１、７の乾燥収縮の値の絶対値（７２６〜７７２μｍ）よりも大きい。
比較例７のモルタル圧縮強さ（材齢３日：２２．１Ｎ／ｍｍ２、材齢７日：３５．１Ｎ／ｍｍ２、材齢２８日：５０．７Ｎ／ｍｍ２）は、実施例１、７のモルタル圧縮強さ（材齢３日：２８．９〜３０．３Ｎ／ｍｍ２、材齢７日：４４．６〜４５．６Ｎ／ｍｍ２、材齢２８日：６３．５〜６４．９Ｎ／ｍｍ２）よりも小さい。
【００４２】
また、石灰石粉末の割合が異なる以外は、実施例１（石灰石粉末：５質量％）、実施例８（石灰石粉末：７質量％）と同じセメント組成物である比較例８（石灰石粉末：１質量％）、比較例９（石灰石粉末：１５質量％）と、実施例１、８を比較すると、以下のことがわかる。
比較例８〜９のモルタル圧縮強さ（材齢３日：２０．８〜２６．５Ｎ／ｍｍ２、材齢７日：３３．８〜３９．６Ｎ／ｍｍ２、材齢２８日：４７．７〜５１．８Ｎ／ｍｍ２）は、実施例１、８のモルタル圧縮強さ（材齢３日：２８．５〜２８．９Ｎ／ｍｍ２、材齢７日：４４．２〜４４．６Ｎ／ｍｍ２、材齢２８日：６３．５〜６３．８Ｎ／ｍｍ２）よりも小さい。
また、石灰石粉末のブレーン比表面積が異なる以外は、実施例１（石灰石粉末のブレーン比表面積：８，５００ｃｍ２／ｇ）と同じセメント組成物である比較例１０（石灰石粉末のブレーン比表面積：４，２００ｃｍ２／ｇ）と、実施例１を比較すると、比較例１０のモルタル圧縮強さ（材齢３日：２６．６Ｎ／ｍｍ２、材齢７日：４１．６Ｎ／ｍｍ２、材齢２８日：６０．０Ｎ／ｍｍ２）は、実施例１のモルタル圧縮強さ（材齢３日：２８．９Ｎ／ｍｍ２、材齢７日：４４．６Ｎ／ｍｍ２、材齢２８日：６３．５Ｎ／ｍｍ２）よりも小さいことがわかる。
【００４３】
さらに、実施例１〜８と、比較例１１（フライアッシュを使用しないもの）、比較例１２（セメントクリンカー粉砕物のケイ酸率が、本発明で規定する数値範囲を外れており、かつ、フライアッシュを使用しないもの）を比較すると、以下のことがわかる。
実施例１〜８のモルタルフロー（２５８〜２８０ｍｍ）は、比較例１１〜１２のモルタルフロー（２４５〜２５２ｍｍ）よりも大きい。実施例１〜８のモルタル圧縮強さ（材齢３日：２７．９〜３０．３Ｎ／ｍｍ２、材齢７日：４３．６〜４５．６Ｎ／ｍｍ２、材齢２８日：６２．２〜６４．９Ｎ／ｍｍ２）は、比較例１１〜１２のモルタル圧縮強さ（材齢３日：２７．２〜２７．３Ｎ／ｍｍ２、材齢７日：４２．８〜４３．０Ｎ／ｍｍ２、材齢２８日：５８．９〜６１．１Ｎ／ｍｍ２）よりも大きい。実施例１〜８の乾燥収縮の値の絶対値（７２６〜７７２μｍ）は、比較例１１〜１２の乾燥収縮の値の絶対値（８６７〜９５７μｍ）よりも小さい。